(57)【要約】【課題】  小型、軽量でありながら、歪曲収差の発生を低減し、高い光学性能を持つ広角撮像レンズを提供する。【解決手段】  広角撮像レンズは、物体側から順に、像側に凹面を向けた負の屈折力を有する第１レンズ１１０と、像側に凹面を向けた負の屈折力を有する第２レンズ１２０と、正の屈折力を有する第３レンズ１３０と、開口絞り１４０と、正の屈折力を有する第４レンズ１５０と、で構成され、且つ、ｆ１３を前記第１レンズから前記第３レンズまでをあわせた焦点距離、ｆ４を前記第４レンズの焦点距離とした場合に、１．３ ≧ ｜ｆ１３｜／ｆ４ ≧ ０．７  の条件式を満たすようにする。【選択図】図１
2013092565.tif 000002
【特許請求の範囲】
【請求項１】
物体側から順に、像側に凹面を向けた負の屈折力を有する第１レンズと、像側に凹面を向けた負の屈折力を有する第２レンズと、正の屈折力を有する第３レンズと、開口絞りと、正の屈折力を有する第４レンズで構成され、下記条件式（１）を満足することを特徴とする撮像レンズ。  
１．３ ≧ ｜ｆ１３｜／ｆ４ ≧ ０．７    ・・・（１）
但し、ｆ１３は、前記第１レンズから前記第３レンズまでの焦点距離、ｆ４は、前記第４レンズの焦点距離である。
【請求項２】
下記条件式（２）を満足することを特徴とする請求項１に記載の撮像レンズ。
ｆ４／ｆ ≧ ２．５    ・・・（２）
但し、ｆは、レンズ全系の焦点距離である。
【請求項３】
下記条件式（３）を満足することを特徴とする請求項１または２に記載の撮像レンズ。
２Ｗ ≧ １３０°    ・・・（３）
但し、２Ｗは、最大像高位置に入射する光線の全画角である。
【請求項４】
前記第１乃至第３レンズは物体側に凸面を向け、前記第４レンズは像側に凸面を向けることを特徴とする請求項１乃至３のいずれかに記載の撮像レンズ。
【請求項５】
前記第２レンズ及び第４レンズは少なくとも１つの面が非球面形状を持つことを特徴とする請求項１及至４のいずれかに記載の撮像レンズ。
【請求項６】
前記第１レンズは硝子材料で形成され、前記第２レンズ及び前記第４レンズは樹脂材料で形成されていることを特徴とする請求項１乃至５のいずれかに記載の撮像レンズ。
【請求項７】
前記第３レンズは樹脂材料で形成され、少なくとも１つの面が非球面形状を持つことを特徴とする請求項１乃至６のいずれかに記載の撮像レンズ。
【請求項８】
前記第１レンズを構成する材料のｄ線に対するアッベ数が４０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定されることを特徴とする請求項１乃至７のいずれかに記載の撮像レンズ。
【請求項９】
前記第１から８のいずれかに記載の撮像レンズと、撮像レンズにより形成される光学像を電気信号に変換する撮像素子とを備えたことを特徴とする撮像装置。
【発明の詳細な説明】
【技術分野】
【０００１】
本発明は、広角撮像レンズとそれを用いた撮像モジュールに関するものである。
【背景技術】
【０００２】
監視用カメラや車載用カメラに用いられる撮像レンズには、広画角を確保しながら画面全域で結像性能が良いことが要求される。また、搭載スペースが限られることが多いことなどから小型で軽量であることが要求される。
これらの要望に対応し得る可能性がある単焦点の広角撮像レンズとして、下記の特許文献１、２、３が提案されている。
【先行技術文献】
【特許文献】
【０００３】
【特許文献１】特開２００３−１９５１６１号公報
【特許文献２】特開２００４−２９２８２号公報
【特許文献３】特開２００５−３４５５７７号公報
【発明の概要】
【発明が解決しようとする課題】
【０００４】
しかしながら、この特許文献１、２、３に記載される単焦点レンズは広角レンズ特有の収差である歪曲が大きく発生するため、周辺部に映る被写体の視認性確保が難しかった。
【０００５】
本発明は、上記の点に鑑みて成されたものであり、小型、軽量でありながら、歪曲収差の発生を低減し、高い光学性能を持つ広角撮像レンズを提供する。
【課題を解決するための手段】
【０００６】
上記目的を達成するため本発明の撮像レンズは、物体側から順に、像側に凹面を向けた負の屈折力を有する第１レンズと、像側に凹面を向けた負の屈折力を有する第２レンズと、正の屈折力を有する第３レンズと、開口絞りと、正の屈折力を有する第４レンズで構成され、下記条件式（１）を満足することを特徴とする。
１．３ ≧ ｜ｆ１３｜／ｆ４ ≧ ０．７    ・・・（１）
但し、ｆ１３は、前記第１レンズから前記第３レンズまでの焦点距離、ｆ４は、前記第４レンズの焦点距離である。
【０００７】
好ましくは、下記条件式（２）を満足することを特徴とする。
【０００８】
ｆ４／ｆ ≧ ２．５    ・・・（２）
但し、ｆは、レンズ全系の焦点距離である。
【０００９】
好ましくは、下記条件式（３）を満足することを特徴とする。
【００１０】
２Ｗ ≧ １３０°    ・・・（３）
但し、２Ｗは、最大像高位置に入射する光線の全画角である。
【００１１】
好ましくは、前記第１乃至第３レンズは物体側に凸面を向け、前記第４レンズは像側に凸面を向けることを特徴とする。
【００１２】
好ましくは、前記第２レンズ及び第４レンズは少なくとも１つの面が非球面形状を持つことを特徴とする。
【００１３】
好ましくは、前記第１レンズは硝子材料で形成され、前記第２レンズ及び前記第４レンズは樹脂材料で形成されていることを特徴とする。
【００１４】
好ましくは、前記第３レンズは樹脂材料で形成され、少なくとも１つの面が非球面形状を持つことを特徴とする。
【００１５】
好ましくは、前記第１レンズを構成する材料のｄ線に対するアッベ数が４０以上に、前記第２レンズを構成する材料のｄ線に対するアッベ数が５０以上に、前記第３レンズを構成する材料のｄ線に対するアッベ数が４０以下に、前記第４レンズを構成する材料のｄ線に対するアッベ数が５０以上に、それぞれ設定されることを特徴とする。
【００１６】
上記目的を達成するため本発明の撮像装置は、上述のいずれかの撮像レンズと、その撮像レンズにより形成される光学像を電気信号に変換する撮像素子とを備えたことを特徴とする。
【発明の効果】
【００１７】
本発明によれば、小型、軽量でありながら、歪曲収差の発生を低減し、高い光学性能を持つ広角レンズおよび撮像装置を実現することができる。
【図面の簡単な説明】
【００１８】
【図１】本発明の実施形態の撮像レンズの基本構成を示す図である。
【図２】実施例１において採用した撮像レンズの構成を示す図である。
【図３】実施例１において、球面収差、非点収差、および歪曲収差を示す収差図である。
【図４】実施例２において採用した撮像レンズの構成を示す図である。
【図５】実施例２において、球面収差、非点収差、および歪曲収差を示す収差図である。
【図６】実施例３において採用した撮像レンズの構成を示す図である。
【図７】実施例３において、球面収差、非点収差、および歪曲収差を示す収差図である。
【図８】実施例４において採用した撮像レンズの構成を示す図である。
【図９】実施例４において、球面収差、非点収差、および歪曲収差を示す収差図である。
【図１０】実施例１乃至４において、ｆ１３／ｆ４とディストーションの関係を示す図である。
【図１１】本発明の実施形態の撮像装置の基本構成を示す図である。
【発明を実施するための形態】
【００１９】
以下、図面を参照しながら、本発明の実施形態を詳細に説明する。図１に実施の形態のレンズ構成をそれぞれ光学断面で示す。これらの実施形態は物体側から順に、第１レンズ１１０、第２レンズ１２０、第３レンズ１３０、開口絞り１４０、第４レンズ１５０、結像面１６０が配置される４枚構成の単焦点の撮像レンズ１００である。
【００２０】
本発明を実施した撮像レンズで４枚のレンズは、物体側から順に、像側に凹面を向けた負の屈折力を有する第１レンズ１１０、像側に凹面を向けた負の屈折力を有する第２レンズ１２０、正の屈折力を有する第３レンズ１３０と、開口絞り１４０と、正の屈折力を有する第４レンズ１５０のように配列されている。また、図１に記載の１（Ｒ１）〜９（Ｒ８）は、各構成要件の面番号である。
【００２１】
開口絞り１４０は第３レンズ１３０と第４レンズ１５０との間に配置している。開口絞り１４０を第４レンズ１５０より像側に配置するとレンズ系が大型化することにより好ましくなく、また第２レンズ１２０と第３レンズ１３０との間に配置するとバックフォーカスが長くなり好ましくない。よって上述した第３レンズ１３０と第４レンズ１５０との間に配置することで諸収差の良好な補正およびレンズ系のコンパクト化が可能となる。
本発明を実施した撮像レンズ１００で好ましくは、条件式（１）を満足するように構成される。
【００２２】
１．３ ≧ ｆ１３／ｆ４ ≧ ０．７    ・・・（１）
但し、ｆ１３は前記第１レンズから前記第３レンズまでの焦点距離、ｆ４は前記第４レンズの焦点距離である。
【００２３】
条件式（１）は、絞り面前後のレンズ群の焦点距離の比に関する条件式である。条件式（１）の下限値を超えるとｆ１３の焦点距離が短くなり、ディストーションを打ち消しあうことができず歪曲が発生してしまう。また、ｆ４の焦点距離が長くなることで正と負のパワーバランスが崩れ、軸上色収差の発生が懸念される。一方、条件式（１）の上限値を超えると下限値とは逆にｆ４の焦点距離が短くなり、ディストーションを打ち消しあうことができず歪曲が発生してしまう。また、ｆ４の焦点距離が短くなることで正と負のパワーバランスが崩れ、ペッツバール和の増加に伴い、非点収差の発生が懸念される。
【００２４】
また、撮像レンズ１００は、好ましくは条件式（２）を満足するように構成される。  
【００２５】
ｆ４／ｆ ≧ ２．５    ・・・（２）
但し、ｆは、レンズ全系の焦点距離である。
【００２６】
条件式（２）は、レンズ全系の焦点距離に対する第４レンズの焦点距離を関連づけた条件式である。条件式（２）の下限値を超えると、射出瞳の関係上、周辺光量を高くすることが困難となる。
【００２７】
また、撮像レンズ１００は、好ましくは条件式（３）を満足するように構成される。  
【００２８】
２Ｗ ≧ １３０°    ・・・（３）
但し、２Ｗは、最大像高位置に入射する光線の全画角である。
【００２９】
条件式（３）の数値範囲に設定することにより、監視用カメラや車載用カメラとしてより好ましい撮影範囲を確保することが可能となる。
【００３０】
また、第１レンズ１１０は物体側に凸面を向け、第２レンズ１２０は物体側に凸面を向け、第３レンズ１３０は物体側に凸面を向け、第４レンズ１５０は像側に凸面を向けることが好ましい。
【００３１】
これにより、第１レンズ１１０では物体側に凸面を向けることで物体側からの光を広画角で入射することが可能となる。第２レンズ１２０では物体側に凸面を向けることで物体側面において反射した光が第１レンズ１１０像面側の面に反射して撮像面に届くことで起きるゴーストフレアの発生を減らすことが可能となる。さらに、正の屈折力を有する第３レンズ１３０、第４レンズ１５０では、それぞれ物体側に凸面、像側に凸面を向けることで開口絞り１４０に近い箇所の感度を緩くし、製造し易い撮像レンズ１００となる。
【００３２】
また、第２レンズ１２０及び第４レンズ１４０が少なくとも１つの面が非球面形状を持つことが好ましい。これにより、収差補正が容易となり、小型でありながら良好な解像性能を得ることが可能となる。
【００３３】
また、前記第１レンズは硝子材料で形成され、前記第２レンズ１２０及び前記第４レンズ１５０は樹脂材料で形成されていることが好ましい。第１レンズ１１０を硝子材料で形成されることにより、監視用カメラや車載用カメラに適用される物理的耐久性、化学的耐久性などの厳しい環境性能を満足できる。
【００３４】
そして、第２レンズ１２０、第４レンズ１５０を樹脂材料で形成することにより、軽量化や低コスト化が実現できると共に非球面形状の作製が容易となる。
【００３５】
また、第３レンズ１３０は樹脂材料で形成することにより、軽量化や低コスト化が実現できると共に非球面形状の作製が容易となる。これらのレンズのそれぞれ少なくとも１面が非球面形状で形成されることにより、収差補正が容易となり、小型でありながら良好な解像性能を得ることが可能となる。
【００３６】
なお、後述の数値実施例の中で記載されるレンズの非球面の形状は、物体側から像面側へ向かう方向を正とし、ｋを円錐係数、Ａは４次の非球面係数を、Ｂは６次の非球面係数を、Ｃは８次の非球面係数を、Ｄは１０次の非球面係数としたとき次式で表される。ｈは光線の高さ、ｃは中心曲率半径の逆数を、Ｚは面頂点に対する接平面からの深さを、それぞれ表している。
【００３７】
【数１】
2013092565.tif 000003
また、撮像レンズ１００は、好ましくは第１レンズ１１０を構成する材料のｄ線に対するアッベ数が４０以上に、第２レンズ１２０を構成する材料のｄ線に対するアッベ数が５０以上に、第３レンズ１３０を構成する材料のｄ線に対するアッベ数が４０以下に、第４レンズ１５０を構成する材料のｄ線に対するアッベ数が５０以上に、それぞれ設定される。
【００３８】
これにより、開口絞り１４０よりも物体側にある負レンズの第１レンズ１１０と第２レンズ１２０と開口絞り１４０よりも像側にある正レンズの第４レンズ１５０を構成する材料のｄ線に対するアッベ数が大きいほど、第１レンズ１１０および第２レンズ１２０、第４レンズ１５０で発生する倍率色収差が小さくなる。また同じく開口絞り１４０よりも物体側にある正レンズの第３レンズ１３０を構成する材料のｄ線に対するアッベ数が小さいほど倍率の色収差を良好に補正できる。
【００３９】
以下に、撮像レンズ１００の具体的な数値による実施例１〜４を示す。実施例１〜４の数値実施例において、焦点距離、Ｆナンバー、画角、像高、レンズ全長、ディストーションは次の表１に記載の通りである。また、同じく実施例１〜４の数値実施例において、条件式（１）〜（３）の数値データは、次の表２に記載の値になる。
【００４０】
なお、実施例１〜４においては、第１レンズ１１０を硝子材料で形成し、第２レンズ１２０乃至第４レンズ１５０を樹脂材料で形成した。
【００４１】
【表１】
2013092565.tif 000004
【００４２】
【表２】
2013092565.tif 000005
【実施例１】
【００４３】
実施の形態１における撮像レンズ１００Ａの基本構成は図２に示され、各数値データ（設定値）は表３、表４に、球面収差、非点収差、および歪曲収差を示す収差図は図３にそれぞれ示される。
【００４４】
図２に示すように、撮像レンズ１００Ａは、像側に凹面を向けたメニスカス形状の第１レンズ１１０、像側に凹面を向けかつ両面が共に非球面である負の屈折力を持つメニスカス形状を有する第２レンズ１２０、両面が共に非球面である正の屈折力を持つ第３レンズ１３０、両面が共に非球面である正の屈折力を持つ第４レンズ１５０、の４枚のレンズが配されてなる。また、第３レンズ１３０と第４レンズ１５０との間に開口絞り１４０が配置されている。
【００４５】
また、図２に示すように、第１レンズ１１０の厚さとなるＲ１面１とＲ２面２間の距離をＤ１、第１レンズ１１０のＲ２面２と第２レンズ１２０のＲ３面３までの距離をＤ２、第２レンズ１２０の厚さとなるＲ３面３とＲ４面４間の距離をＤ３、第２レンズ１２０のＲ４面４と第３レンズ１３０のＲ５面５間の距離をＤ４、第３レンズ１３０の厚さとなるＲ５面５とＲ６面６間の距離をＤ５、第３レンズ１３０のＲ６面６と開口絞り１４０の面７までの距離をＤ６、開口絞り１４０の面７と第４レンズ１５０のＲ７面８間の距離をＤ７、第４レンズ１５０の厚さとなるＲ７面８とＲ８面９間の距離をＤ８、第４レンズ１５０のＲ８面９と結像面１６０までの距離をＤ９とする。なお、以降の実施例２〜４においてもＲ１面１〜Ｒ８面９、およびＤ１〜Ｄ９は同様の距離を意味するものとする。
【００４６】
表３は、実施例１における撮像レンズ１００Ａの各面番号に対応した絞り、各レンズの曲率半径Ｒ、間隔Ｄ、屈折率Ｎｄ、および分散値νｄを示している。表３中で面番号に＊がついている面は非球面形状となっていることを示す。表４は、所定面の非球面係数を示している。
＜数値実施例１＞
【００４７】
【表３】
2013092565.tif 000006
【００４８】
【表４】
2013092565.tif 000007
図３は、実施例１において、図３（Ａ）が球面収差（左から435.8nm, 486.1nm, 546.1nm, 587.6nm, 656.3nm）を、図３（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図３（Ｃ）が歪曲収差（435.8nm, 486.1nm, 546.1nm, 587.6nm, 656.3nmが重なっている）をそれぞれ示している。図３（Ｂ）、（Ｃ）の縦軸は半画角ωを表し、図３（Ｂ）中、実線Ｓはサジタル像面の値、破線Ｔはタンジェンシャル像面の値をそれぞれ示している（図５、７、９においても同様である）。図３からわかるように、実施例１によれば、球面、歪曲、非点の諸収差が良好に補正され、結像性能に優れた撮像レンズ１００Ａが得られる。
【実施例２】
【００４９】
実施の形態２における撮像レンズ１００Ｂの基本構成は図４に示され、各数値データ（設定値）は表５、表６に、球面収差、非点収差、および歪曲収差を示す収差図は図５にそれぞれ示される。
【００５０】
この実施例２における撮像レンズ１００Ｂは実施例１のｆ１３の焦点距離を弱めｆ１３／ｆ４ ＝ ０．７となるよう設計されている。
【００５１】
図４に示すように、撮像レンズ１００Ｂは、像側に凹面を向けたメニスカス形状の第１レンズ１１０、像側に凹面を向けかつ両面が共に非球面である負の屈折力を持つメニスカス形状を有する第２レンズ１２０、両面が共に非球面である正の屈折力を持つ第３レンズ１３０、両面が共に非球面である正の屈折力を持つ第４レンズ１５０、の４枚のレンズが配されてなる。また、第３レンズ１３０と第４レンズ１５０との間に開口絞り１４０が配置されている。
【００５２】
表５は、実施例２における撮像レンズ１００Ｂの各面番号に対応した絞り、各レンズの曲率半径Ｒ、間隔Ｄ、屈折率Ｎｄ、および分散値νｄを示している。表５中で面番号に＊がついている面は非球面形状となっていることを示す。表６は、所定面の非球面係数を示している。
＜数値実施例２＞
【００５３】
【表５】
2013092565.tif 000008
【００５４】
【表６】
2013092565.tif 000009
図５は、実施例２において、図５（Ａ）が球面収差（左から435.8nm, 486.1nm, 546.1nm, 587.6nm, 656.3nm）を、図５（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図５（Ｃ）が歪曲収差（435.8nm, 486.1nm, 546.1nm, 587.6nm, 656.3nmが重なっている）をそれぞれ示している。図５からわかるように、実施例２によれば、球面、歪曲、非点の諸収差が良好に補正され、結像性能に優れた撮像レンズ１００Ｂが得られる。
【実施例３】
【００５５】
実施の形態３における撮像レンズ１００Ｃの基本構成は図６に示され、各数値データ（設定値）は表７、表８に、球面収差、非点収差、および歪曲収差を示す収差図は図７にそれぞれ示される。
【００５６】
この実施例３における撮像レンズ１００Ｃは実施例１のｆ１３の焦点距離を弱めｆ１３／ｆ４ ＝ ０．９となるよう設計されている。
【００５７】
図６に示すように、撮像レンズ１００Ｃは、像側に凹面を向けたメニスカス形状の第１レンズ１１０、像側に凹面を向けかつ両面が共に非球面である負の屈折力を持つメニスカス形状を有する第２レンズ１２０、両面が共に非球面である正の屈折力を持つ第３レンズ１３０と、両面が共に非球面である正の屈折力を持つ第４レンズ１５０、の４枚のレンズが配されてなる。また、第３レンズ１３０と第４レンズ１５０との間に開口絞り１４０が配置されている。
【００５８】
表７は、実施例３における撮像レンズ１００Ｃの各面番号に対応した絞り、各レンズの曲率半径Ｒ、間隔Ｄ、屈折率Ｎｄ、および分散値νｄを示している。表７中で面番号に＊がついている面は非球面形状となっていることを示す。表８は、所定面の非球面係数を示している。
＜数値実施例３＞
【００５９】
【表７】
2013092565.tif 000010
【００６０】
【表８】
2013092565.tif 000011
図７は、実施例3おいて、図７（Ａ）が球面収差（左から435.8nm, 486.1nm, 546.1nm, 587.6nm, 656.3nm）を、図７（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図７（Ｃ）が歪曲収差（435.8nm, 486.1nm, 546.1nm, 587.6nm, 656.3nmが重なっている）をそれぞれ示している。図７からわかるように、実施例３によれば、球面、歪曲、非点の諸収差が良好に補正され、結像性能に優れた撮像レンズ１００Ｃが得られる。
【実施例４】
【００６１】
実施の形態４における撮像レンズ１００Ｄの基本構成は図８に示され、各数値データ（設定値）は表９、表１０に、球面収差、非点収差、および歪曲収差を示す収差図は図９にそれぞれ示される。
【００６２】
この実施例４における撮像レンズ１００Ｄは実施例１のｆ１３の焦点距離を強めｆ１３／ｆ４ ＝ １．３となるよう設計されている。
【００６３】
図８に示すように、撮像レンズ１００Ｄは、像側に凹面を向けたメニスカス形状の第１レンズ１１０、像側に凹面を向けかつ両面が共に非球面である負の屈折力を持つメニスカス形状を有する第２レンズ１２０、両面が共に非球面である正の屈折力を持つ第３レンズ１３０と、両面が共に非球面である正の屈折力を持つ第４レンズ１５０、の４枚のレンズが配されてなる。また、第３レンズ１３０と第４レンズ１５０との間に開口絞り１４０が配置されている。
【００６４】
表９は、実施例４における撮像レンズ１００Ｄの各面番号に対応した絞り、各レンズの曲率半径Ｒ、間隔Ｄ、屈折率Ｎｄ、および分散値νｄを示している。表９中で面番号に＊がついている面は非球面形状となっていることを示す。表１０は、所定面の非球面係数を示している。
＜数値実施例４＞
【００６５】
【表９】
2013092565.tif 000012
【００６６】
【表１０】
2013092565.tif 000013
図９は、実施例４おいて、図９（Ａ）が球面収差（左から435.8nm, 486.1nm, 546.1nm, 587.6nm, 656.3nm）を、図９（Ｂ）が非点収差（実線：左から435.8nm, 486.1nm, 546.1nm, 587.6nm, 656.3nmのサジタル光線、点線：左から435.8nm, 486.1nm, 546.1nm, 587.6nm, 656.3nmのタンジェンシャル光線）を、図９（Ｃ）が歪曲収差（435.8nm, 486.1nm, 546.1nm, 587.6nm, 656.3nmが重なっている）をそれぞれ示している。図９からわかるように、実施例４によれば、球面、歪曲、非点の諸収差が良好に補正され、結像性能に優れた撮像レンズ１００Ｄが得られる。
【００６７】
図１１に本発明による撮像レンズ１００を用いた撮像装置の実施形態の断面図を示す。撮像レンズ１００およびＣＣＤ(Charge Coupled Device)やＣＭＯＳ(Complementary Mental-Oxide Semiconductor device)等の撮像素子２１０は筐体２２０によって位置関係を規定、保持される。このとき撮像レンズ１００の結像面１６０は撮像素子２１０の受光面に一致するように配置されている。
【００６８】
撮像レンズ１００によって取り込まれ、撮像素子２１０の受光面に結像した被写体像は、撮像素子２１０の光電変換機能によって電気信号に変換されて、画像信号として撮像装置２００から出力される。
【００６９】
上述のような撮像レンズ１００は、構成枚数が少なく、小型、軽量であるため、搭載スペースがコンパクトにできるため、様々な用途の撮像装置に適している。また広角撮像レンズでありながら、歪曲収差の発生を低減し、高い光学性能を持つ被写体像を撮像素子２１０に受光面上に結像でき、視認性に優れた画像信号を出力できるため、特に監視用カメラや車載用カメラ等において優位性の高い撮像装置の実現が可能である。
【符号の説明】
【００７０】
１００、１００Ａ、１００Ｂ、１００Ｃ、１００Ｄ  …  撮像レンズ
１１０  …  第１レンズ
１２０  …  第２レンズ
１３０  …  第３レンズ
１４０  …  開口絞り
１５０  …  第４レンズ
１６０  …  結像面
２００  …  撮像装置
２１０  …  撮像素子
２２０  …  筐体
【図１】
2013092565.tif 000014
【図２】
2013092565.tif 000015
【図３】
2013092565.tif 000016
【図４】
2013092565.tif 000017
【図５】
2013092565.tif 000018
【図６】
2013092565.tif 000019
【図７】
2013092565.tif 000020
【図８】
2013092565.tif 000021
【図９】
2013092565.tif 000022
【図１０】
2013092565.tif 000023
【図１１】
2013092565.tif 000024